【事件の表示】
　特願２０００−５９８０９５号「外部磁界により作動する尿道内人工泌尿器括約筋用バルブ」拒絶査定不服審判事件〔平成１２年８月１７日国際公開、ＷＯ００／４７１４１、平成１４年１０月２９日国内公表、特表２００２−５３６１１６号〕について、次のとおり審決する。
【結　論】
　本件審判の請求は、成り立たない。
【理　由】
I．　手続の経緯
　本願は、平成１２年２月１１日を国際出願日とする出願（パリ条約による優先権主張　平成１１年２月１１日　スペイン）であって、平成２０年６月１１日付けで意見書及び手続補正書が提出され、更に平成２０年６月１３日付けで手続補正書が提出され、平成２０年１１月２５日付けで拒絶理由が通知され、平成２１年７月１７日付けで拒絶査定がなされ、これに対し、平成２１年１１月１９日に拒絶査定不服審判の請求がなされたものである。
　
　
II．　本願発明
　請求項１に係る発明は、平成２０年６月１３日付け手続補正書により補正された明細書及び図面の記載からみて、その特許請求の範囲の請求項１に記載された事項により特定される次のとおりのものである。（以下、「本願発明」という。）
　
「外部磁界により作動する尿道内人工泌尿器括約筋用バルブであって、
　生物学的適合性材料によって作られ且つオリフィスによってつながっている尿の入口と出口とを備えた中空円筒状本体と、
　生体適合性材料によって被覆された軟質磁性材料によって作られ、前記円筒状本体の前記尿の入口内で軸線方向に移動して前記オリフィスを開閉するようになされたピストンと、
　生体適合性材料によって被覆された硬質磁性材料からなり、前記ピストンに吸引力を付与して前記オリフィス閉じる、前記円筒状本体の前記尿の入口に配設されたドーナツ状の内部磁石と、
　体外に配置される外部磁石であり、体外から前記ピストンに近づけて配置されると、前記ピストンに、前記内部磁石による吸引力よりも大きな反対方向の吸引力をかけて前記オリフィスを開き、一方、前記ピストンにかけられた当該外部磁石による吸引力を取り除くと、前記ピストンが前記オリフィスを自動的に閉じて排尿が阻止されるようになされた前記外部磁石と、からなり、
　前記内部磁石による前記ピストンに対する吸引力は、当該内部磁石とピストンとを分離する距離に応じて弱くなり、一方、前記ピストンには膀胱内の尿からの圧力が常に加わっており、それによって、膀胱内の尿の圧力がある限度以上に達すると、前記外部磁石による反対方向の吸引力が無くても自動的に開くようになされたことを特徴とする、尿道内人工泌尿器括約筋用バルブ。」
　
　
III．　刊行物の記載事項
　
（１）これに対して、原査定の拒絶の理由に引用された、本願の優先権主張日前に頒布された刊行物である「米国特許第５３６６５０６号明細書 」（以下「引用例１」という。）には、図面と共に次の事項が記載されている。（なお、『』内に当審による仮訳を示す。）
　
（ア）：　「An urethral magnet valve for insertion into the urethra of a person suffering from incontinence ・・・」（ABSTRACT）
　
『尿漏れに苦しむ人の尿道の中に挿入するための尿道用磁石バルブ・・・』
　
（イ）：　「Referring to FIGS. 1 and 2 of the drawings, a valve assembly 10 can be seen comprising a cylindrical nonmagnetic housing 11 having a continuous side wall 12. A plurality of annularly spaced retaining flanges 13 extend inwardly from a perimeter edge 14 of said cylindrical housing 11 defining said sidewall 12. A recessed area 15 in said sidewall 12 extends inwardly from its free end defining a mounting surface for registration with a ferromagnetic valve seat 16. The valve seat 16 has a cylindrical aperture at 17 concentric within said cylindrical housing 11. A valve element 18 is comprised of a cylindrical magnet 19 encapsulated within a generally U-shaped nonmagnetic capsule 18A of biocompatible material having a thicker base portion 18B adjacent the valve seat 16 and an oppositely disposed closer 20 adhesively fixed to the magnet 19. 」（３欄１１〜２６行）
　
『図面の図１および２を参照すると、バルブ構成体１０は、連続した側壁１２を有する非磁性の円筒状ハウジング１１を含んでいる。円周状に間隔を有する複数の保持フランジ１３が、前記側壁１２を規定する前記円筒状ハウジング１１の境界端１４から内部に延びている。前記側壁１２に形成された凹所１５は、側壁の自由端より内側に延び、強磁性バルブシート１６に合うように設置表面を規定している。バルブシート１６は、前記円筒状ハウジングの中に、同心の円柱状の穴１７を有している。バルブエレメント１８は、Ｕ字形の生体親和性非磁性カプセル１８Ａに包まれた円筒状磁石１９よりなり、そのカプセルは、磁石１９に接着固定されるバルブシート１６に隣接した厚い基部１８Ｂと反対側に配置された閉止体２０よりなる。』
　
（ウ）：　「This valve open position occurs upon activation of the valve element 18 by a switching magnet 21, seen in FIG. 8 of the drawings. The switching magnet 21 is of a generally bar configuration in this example having been magnetized along its longitudinal center line axis A. When the switching magnet 21 is brought into close proximity to the valve element 18 as indicated with their respective magnetic center lines in a non-axial alignment, magnetic torque is induced on the valve element 18. The misalignment of the respective magnetic fields of the switching magnet 21 and the magnet 19 within the valve element 18 induces the valve element 18's rotation and repositioning within the housing 11 shown in broken lines in FIG. 1 of the drawings, thus opening the valve assembly 10 for passage of fluid.」（３欄４５〜５９行）
　
『図８の図面に示すように、このバルブの開放は、スイッチング磁石２１によるバルブエレメント１８の作動によって起きる。スイッチング磁石２１は通常棒状に形成され、この例では縦のセンターラインである軸Ａに沿って磁化されている。スイッチング磁石２１をバルブエレメント１８に近接させ、それぞれの磁気のセンターラインが同じ軸にない時、磁気トルクがバルブエレメント１８に対して発生する。スイッチング磁石２１とバルブエレメント１８の磁石１９の磁界が整列していないため、図１の図面の破線に示すように、ハウジング１１内においてバルブエレメント１８の回転や位置の移動が引き起こされる。それにより、バルブ構成体１０が開き、流体が流れる。』
　
（エ）：　「The retaining flanges 13 limit the valve element 18 relative movement within the housing so that the required range of magnetic attraction between the valve element 18 and said valve seat 16 is sufficient to return the valve element 18 to the aperture occluding position upon deactivation i.e. removal of the switching magnet 21 (as shown in solid lines in FIG. 1 of the drawings).
When the switching magnet is not present, as indicated, the hereinbefore valve element 18 is attracted to ferromagnetic valve seat 16 occluding the cylindrical aperture 17 therein.」（３欄６６行〜４欄９行）
　
『スイッチング磁石２１の効力を無くす、すなわちスイッチング磁石２１を取り除いた際に、バルブエレメント１８と前記バルブシート１６との磁気吸引力が、バルブエレメント１８が穴を閉塞する位置に戻るのに足りるように、保持フランジ１３は、ハウジング内にバルブエレメント１８の動きを制限する。（図１の図面の実線に示されている。）
スイッチング磁石２１が存在しないとき、バルブエレメント１８は円柱状の穴１７を閉塞するように強磁性バルブシート１６に引きつけられる。』
　
（オ）：　「The valve element 18 also acts as a high pressure relief element, with relief pressure determined by the magnitude of the attraction forces between the valve element 18 and valve seat 16 at the relative separation distance imposed by the nonferromagnetic base portion 18B of the capsule 18A.」（４欄１０〜１５行）
　
『バルブエレメント１８は、高圧力の除去を行うものでもある。除去圧力は、カプセル１８Ａの非磁性の基部１８Ｂに影響されるバルブエレメント１８とバルブシート１６との相対的な分離距離によって決まる。』
　
（カ）：　「・・・the respective valve seats 16 and 27 illustrated are adjacent the upstream flow・・・」（５欄４７〜４８行）
　
『・・・描かれたそれぞれのバルブシート１６，２７は上流に位置している・・・』
　
　ＦＩＧ．８の記載から、スイッチング磁石２１を体外においてバルブ構造体１０に近づけている様子及びバルブ構造体１０が尿道の中に挿入されている様子が窺える。そして、記載事項（ア）における「尿漏れに苦しむ人の尿道の中に挿入するための尿道用磁石バルブ」との記載、ＦＩＧ．８に示された上記の態様からして、バルブ構造体１０である尿道用磁石バルブは、体外のスイッチング磁石２１の磁界により作動するものといえる。
　
　記載事項（イ）における「バルブ構成体１０は、連続した側壁１２を有する非磁性の円筒状ハウジング１１を含んでいる。・・・バルブシート１６は、前記円筒状ハウジングの中に、同心の円柱状の穴１７を有している。」との記載及びＦＩＧ．１に示されたバルブシート１６の円柱状の穴１７が流路を絞る態様からして、尿道内磁石バルブが、流路を絞るバルブシート１６の円柱状の穴１７を介してつながっている入口と出口を備えた円筒状ハウジング１１を有するといえる。
　
　記載事項（ウ）における「このバルブの開放は、スイッチング磁石２１によるバルブエレメント１８の作動によって起きる。」との記載、記載事項（エ）における「スイッチング磁石２１が存在しないとき、バルブエレメント１８は円柱状の穴１７を閉塞するように強磁性バルブシート１６に引きつけられる。」との記載及びＦＩＧ．１に示されたバルブエレメント１８が尿の入口内である円筒状ハウジング１１内で移動する態様からして、バルブエレメント１８が円筒状ハウジング１１内で移動して、円柱状の穴１７を開閉するといえる。
　
　記載事項（イ）における「バルブシート１６は、前記円筒状ハウジングの中に、同心の円柱状の穴１７を有している。」との記載、記載事項（エ）における「バルブエレメント１８と前記バルブシート１６との磁気吸引力が、バルブエレメント１８が穴を閉塞する位置に戻る」との記載、記載事項（イ）における「前記側壁１２に形成された凹所１５は、側壁の自由端より内側に延び、強磁性バルブシート１６に合うように設置表面を規定している。」との記載、記載事項（オ）における「バルブシート１６，２７は上流に位置している」との記載及び尿道内磁石バルブが尿道内に使用されることから、その上流側は尿の入口の側であるといえることからして、バルブシート１６は、バルブエレメント１８に吸引力を付与して円柱状の穴１７を閉塞する円筒状ハウジング１１の尿の入口に配設されたドーナツ状のものといえる。
　
　記載事項（カ）における「体外のスイッチング磁石２１の磁界により作動する尿道内磁石バルブ」との記載、記載事項（ウ）における「スイッチング磁石２１をバルブエレメント１８に近接させ、それぞれの磁気のセンターラインが同じ軸にない時、磁気トルクがバルブエレメント１８に対して発生する。スイッチング磁石２１とバルブエレメント１８の磁石１９の磁界が整列していないため、図１の図面の破線に示すように、ハウジング１１内においてバルブエレメント１８の回転や位置の移動が引き起こされる。それにより、バルブ構成体１０が開き、流体が流れる。」との記載、記載事項（エ）における「スイッチング磁石２１が存在しないとき、バルブエレメント１８は円柱状の穴１７を閉塞するように強磁性バルブシート１６に引きつけられる。」との記載及びスイッチング磁石２１による磁界が磁石１９による吸引力とは別の吸引力をかけるといえることからして、体外に配置されるスイッチング磁石２１がバルブエレメント１８に近接すると、バルブエレメント１８に、磁石１９による吸引力とは別な吸引力をかけて、円柱状の穴１７を開くことで、尿道内磁石バルブが開き、一方、バルブエレメント１８にかけられたスイッチング磁石２１が存在しないとき、バルブエレメント１８が円柱状の穴１７を自動的に閉塞して排尿が阻止され、尿道内磁石バルブが閉塞するといえる。
　
　記載事項（オ）における「除去圧力は、カプセル１８Ａの非磁性の基部１８Ｂに影響されるバルブエレメント１８とバルブシート１６との相対的な分離距離によって決まる。」との記載及び磁石と強磁性体の吸引力が距離に応じて弱くなるという技術常識からして、磁石１９によるバルブシート１６に対する吸引力は、磁石１９とバルブシート１６との分離する距離によって決まり、距離に応じて弱くなるといえる。
　
　記載事項（オ）における「バルブエレメント１８は、高圧力の除去を行うものでもある。」との記載及び尿の入口の側に膀胱があることから、尿の入口の側より膀胱内の尿からの圧力が常に加わっているという技術常識からして、バルブエレメント１８には、膀胱内の尿からの圧力が常に加わっており、除去圧力に達すると、スイッチング磁石２１が存在しなくても自動的に開くといえる。
　
　以上から、引用例１には、次の発明（以下、「引用発明１」という。）が記載されている。
　
「体外のスイッチング磁石２１の磁界により作動する尿道内磁石バルブであって、
　円柱状の穴１７によってつながっている尿の入口と出口とを備えた円筒状ハウジング１１と、
　生体親和性材料によって包まれた磁石１９によって作られ、前記尿の入口内で移動して前記円柱状の穴１７を開閉するようになされたバルブエレメント１８と、
　バルブエレメント１８に吸引力を付与して前記円柱状の穴１７を閉塞する、前記円筒状ハウジング１１の前記尿の入口に配設されたドーナツ状のバルブシート１６と、
　体外に配置されるスイッチング磁石２１であり、体外から前記バルブエレメント１８に近接すると、前記バルブエレメント１８に、前記磁石１９による吸引力とは別の吸引力をかけて前記円柱状の穴１７を開き、一方、前記バルブエレメント１８にかけられた当該スイッチング磁石２１が存在しないとき、前記バルブエレメント１８が前記円柱状の穴１７を自動的に閉塞して排尿が阻止されるようになされた前記スイッチング磁石２１と、からなり、
　前記磁石１９による前記バルブシートに対する吸引力は、当該磁石１９とバルブシート１６とを分離する距離に応じて弱くなり、一方、前記バルブエレメント１８には膀胱内の尿からの圧力が常に加わっており、それによって、膀胱内の尿の圧力が除去圧力に達すると、前記スイッチング磁石２１が存在しなくても自動的に開くようになされたことを特徴とする、尿道内磁石バルブ。」
　
（２）原査定の拒絶の理由に引用された、本願の優先権主張日前に頒布された刊行物である「米国特許第３７３１６７０号明細書 」（以下「引用例２」という。）には、図面と共に次の事項が記載されている。（なお、『』内に当審による仮訳を示す。）
　
（キ）：　「The valve comprises a cylindrical housing 4 having integral, circumferential sealing rings 5, a spherical closure member 6, and valve seats 8 and 10, mounted in the respective ends of housing 4.」（２欄５２〜５６行）
　
『バルブは、円周全体にシールリングを備えるハウジング４、球状の閉鎖体６とハウジング４の両端に設置されるバルブシート８，１０からなる。』
　
（ク）：　「A conical recess 16 is provided at one end of seat 8; a central bore or through hole 18 in seat 8 communicates with recess 16.」（３欄１４〜１６行）
　
『円錐状凹部１６は、シート８の一端に形成され、シート８の中心の穴若しくは貫通した穴１８は円錐状凹部１８につながっている。』
　
（ケ）：　「Closure member 6 is constructed of magnetically sensitive material which is attracted to the magnetic portion of the seat 8.」（３欄２２〜２４行）
　
『閉鎖体６はシート８の磁石よりなる部位に吸引される磁気的に影響を受けやすい材料で形成される。』
　
（コ）：　「Closure member 6 may be of soft iron, seat 10 and magnetic portion of seat 8 of alnico V or a ceramic magnet material, ・・・」（４欄２０〜２２行）
　
『閉鎖体６は、軟鉄より形成し、シート１０及びシート８の磁石によりなる部位は、alnico V若しくはセラミック磁石材料より形成してもよい。・・・』
　
（サ）：　「Valve 2 may be opened by moving closure member 6 from seat 8 to seat 10. This is accomplished by bringing the actuating magnet 34 into proximity with seat 8 in the position indicated such that the magnetic field from magnet 34 can embrace closure member 6, and then moving magnet 34, adjacent the valve, to a position in proximity with seat 10.」（４欄４１〜４７行）
　
『バルブ２は、閉鎖体６がシート８から１０に移動することによって開かれる。この作動は、作動磁石３４示された位置であるシート８に近接させ、磁石３４の磁界が閉鎖体６を取り囲み、そして磁石３４をバルブに隣接しつつ、シート１０に近接した位置に移動させることにより起こる。』
　
（シ）：　「The valve may also be advantageously used to provide control of urine flow in cases of urinary incontinence.」（６欄１８〜２０行）
　
『このバルブはまた、尿漏れにおいて、尿の流れを制御するにも好都合であるかもしれない。』
　
　記載事項（ケ）における「閉鎖体６はシート８の磁石よりなる部位に吸引される磁気的に影響を受けやすい材料で形成される。」との記載、記載事項（サ）における「バルブ２は、閉鎖体６がシート８から１０に移動することによって開かれる。この作動は、作動磁石３４示された位置であるシート８に近接させ、磁石３４の磁界が閉鎖体６を取り囲み、そして磁石３４をバルブに隣接しつつ、シート１０に近接した位置に移動させることにより起こる。」との記載、記載事項（シ）における「このバルブはまた、尿漏れにおいて、尿の流れを制御するにも好都合である」との記載及び技術常識からして、尿道内磁石バルブ２は、作動磁石３４が閉鎖体６に近接されると、シート８の磁石による吸引力よりも大きな反対方向の吸引力をかけて尿道内磁石バルブ２を開くといえる。
　
　記載事項（ク）における「円錐状凹部１６は、シート８の一端に形成され、シート８の中心の穴若しくは貫通した穴１８は円錐状凹部１８につながっている。」との記載、記載事項（サ）における「バルブ２は、閉鎖体６がシート８から１０に移動することによって開かれる。」との記載、及ＦＩＧ．１に示されたハウジング４がシート８の貫通した穴１８を介してつながっている入口と出口を備えた中空円筒状であり、閉鎖体６が入口内で軸線方向に移動する態様及び技術常識からして、尿道内磁石バルブ２は、ハウジング４の入口内で軸線方向に移動して貫通した穴１８を開閉する閉鎖体６を備えているといえる。
　
　記載事項（コ）における「閉鎖体６は、軟鉄より形成し、シート１０及びシート８の磁石によりなる部位は、alnico V若しくはセラミック磁石材料より形成してもよい。」との記載、及ＦＩＧ．１に示されたハウジング４の一端に磁石による部位を備えるシート８を備える態様及び技術常識からして、軟質磁性材料によって形成された閉鎖体６と、ハウジング４の一端に配設された硬質磁性材料よる部位を備えるシート８とが引用例２に記載されているといえる。
　
　以上から、引用例２には、次の発明（以下、「引用発明２」という。）が記載されている。
　
「軟質磁性材料によって作られ、中空円筒状のハウジング４の入口内で軸線方向に移動して貫通した穴１８を開閉するようになされた閉鎖体６と、
　閉鎖体６に吸引力を付与して前記貫通した穴１８を閉じる、前記中空円筒状のハウジング４の入口に配設されたドーナツ状の硬質磁性材料による部位を備えるシート８と、
　作動磁石３４であり、前記閉鎖体６に近接すると、前記閉鎖体６に、前記シート８による吸引力よりも大きな反対方向の吸引力をかけて貫通した穴１８を開く前記作動磁石３４と、からなる尿道内磁石バルブ２。」
　
　そして、引用発明２の「中空円筒状のハウジング４」、「貫通した穴１８」、「閉鎖体６」、「硬質磁性材料よる部位を備えるシート８」、「近接すると」、「作動磁石３４」及び「尿道内磁石バルブ２」、は、それぞれ「中空円筒状本体」、「オリフィス」、「ピストン」、「内部磁石」、「近づけて配置されると」、「外部磁石」及び「尿道内人工泌尿器括約筋用バルブ」といえるから、引用発明２は、
「軟質磁性材料によって作られ、前記中空円筒状本体の入口内で軸線方向に移動してオリフィスを開閉するようになされたピストンと、
　ピストンに吸引力を付与して前記オリフィスを閉じる、前記円筒状本体の入口に配設されたドーナツ状の内部磁石と、
　外部磁石であり、前記ピストンに近づけて配置されると、前記ピストンに、前記内部磁石による吸引力よりも大きな吸引力をかけてオリフィスを開く前記外部磁石と、からなる尿道内人工泌尿器括約筋用バルブ。」といえる。
　
　
IV．　対比
　本願発明と引用発明１を対比すると、その構造または機能からみて、引用発明１の「体外のスイッチング磁石２１の磁界」、「尿道内磁石バルブ」、「円筒状ハウジング１１」、「生体親和性材料」、「スイッチング磁石２１」、「近接する」、「スイッチング磁石２１が存在しないとき」、「閉塞して」、「膀胱内の尿の圧力が除去圧力に達すると」及び「スイッチング磁石２１が存在しなくても」は、本願発明の「外部磁界」、「尿道内人工泌尿器括約筋用バルブ」、「中空円筒状本体」、「生体適合性材料」、「外部磁石」、「近づけて配置される」、「ピストンにかけられた当該外部磁石による吸引力を取り除くと」、「閉じて」、「膀胱内の尿の圧力がある限度以上に達すると」及び「外部磁石による反対方向の吸引力が無くても」に相当する。
　さらに、本願明細書のＦＩＧ．１に図示された入口オリフィス２の態様や、技術常識を鑑みれば、引用発明１の「円柱状の穴１７」は、「オリフィス」といえることは明らかである。
　
　本願発明における「ピストン」及び「内部磁石」と、引用発明１における「バルブエレメント１８」及び「バルブシート１６」は、「バルブ内に存在する部材」及び「バルブ内に存在する部材と吸引する部材」という概念で一致し、また本願発明における「内部磁石による吸引力よりも大きな反対方向の吸引力をかけてオリフィスを開き」及び「内部磁石による前記ピストンに対する吸引力は、当該内部磁石とピストンとを分離する距離に応じて弱くなり」と、引用発明１における「磁石１９による吸引力とは別の吸引力をかけて前記円柱状の穴１７を開き」及び「磁石１９による前記バルブシートに対する吸引力は、当該磁石１９とバルブシート１６とを分離する距離に応じて弱くなり」は、それぞれ「バルブ内に存在する部材と吸引する部材による吸引力とは別の吸引力をかけてオリフィスを開き」及び「バルブ内に存在する部材と吸引する部材による当該バルブ内に存在する部材に対する吸引力は、当該バルブ内に存在する部材と吸引する部材とバルブ内に存在する部材とを分離する距離に応じて弱くなり」という概念で一致する。
　
　そこで、本願発明の用語を用いて表現すると、本願発明と引用発明１とは次の点で一致する。
（一致点）
「外部磁界により作動する尿道内人工泌尿器括約筋用バルブであって、
　オリフィスによってつながっている尿の入口と出口とを備えた中空円筒状本体と、
　生体適合性材料によって被覆され、前記円筒状本体の前記尿の入口内で移動して前記オリフィスを開閉するようになされたバルブ内に存在する部材と、
　前記バルブ内に存在する部材に吸引力を付与して前記オリフィス閉じる、前記円筒状本体の前記尿の入口に配設されたドーナツ状のバルブ内に存在する部材と吸引する部材と、
　体外に配置される外部磁石であり、体外から前記バルブ内に存在する部材に近づけて配置されると、前記バルブ内に存在する部材に、バルブ内に存在する部材と吸引する部材による吸引力と別な吸引力をかけて前記オリフィスを開き、一方、前記バルブ内に存在する部材にかけられた当該外部磁石による吸引力を取り除くと、前記バルブ内に存在する部材が前記オリフィスを自動的に閉じて排尿が阻止されるようになされた前記外部磁石と、からなり、
　前記バルブ内に存在する部材と吸引する部材による当該バルブ内に存在する部材に対する吸引力は、当該バルブ内に存在する部材と吸引する部材とバルブ内に存在する部材とを分離する距離に応じて弱くなり、一方、前記バルブ内に存在する部材には膀胱内の尿からの圧力が常に加わっており、それによって、膀胱内の尿の圧力がある限度以上に達すると、前記外部磁石による反対方向の吸引力が無くても自動的に開くようになされたことを特徴とする、尿道内人工泌尿器括約筋用バルブ。」
　
　そして、両者は次の相違点で相違する。　
（相違点１）
　外部磁界により作動する尿道内人工泌尿器括約筋用バルブにおける、バルブ内に存在する部材が、本願発明ではピストンであり、「軟質磁性材料より作られ」、円筒状本体の前記の尿の入口内で「軸線方向に」移動して前記オリフィスを開閉するようになされており、
　バルブ内に存在する部材と吸引する部材が内部磁石であり、「硬質磁性材料からなり」、
　バルブ内に存在する部材と吸引する部材による吸引力「よりも大きな反対方向の吸引力をかけて」オリフィスを開くと特定されているのに対して、
　引用発明１では、バルブ内に存在する部材がバルブエレメント１８であり、硬質磁性材料である磁石１９により作られ、円筒状ハウジング１１の前記の尿の入口内で回転若しくは移動して前記オリフィスを開閉し、
　バルブ内に存在する部材と吸引する部材がバルブシート１６であり、高磁性体である軟質磁性材料からなり、
　バルブ内に存在する部材と吸引する部材による吸引力とは別の吸引力をかけてオリフィスを開く点。
　
（相違点２）
　本願発明では、中空円筒状本体が、「生物学的適合性材料によって作られ」、バルブ内に存在する部材と吸引する部材（内部磁石）が、「生体適合性材料によって被覆された」と限定されているのに対して、引用発明１の中空円筒状本体（円筒状ハウジング１１）が生物学的適合性材料によって作られ、バルブ内に存在する部材と吸引する部材（バルブシート１６）が、生体適合性材料によって被覆されているか不明である点。
　
　
V．相違点の判断
　上記相違点について検討する。
（相違点１について）
　引用発明１と引用発明２の発明は、外部磁界により作動する尿道内人工泌尿器括約筋用バルブという同じ技術分野に属しており、バルブ内で二つの部材をそれぞれ軟質磁性材料と硬質磁性材料により形成することで、その二つの部材の磁気吸引力を利用することで、バルブの開閉を行うものである。そして、バルブエレメント１８、閉鎖体６（ピストン）とバルブシート１６、シート８（内部磁石）のどの片方を軟質磁性材料とし、他方を硬質磁性材料とするかは、当業者が必要に応じて適宜選択し得る程度の事項である。してみれば、引用発明２に係る上記構成を引用発明１において採用し、相違点１に係る本願補正発明の発明特定事項とすることに格別の困難性は見出せない。
　
（相違点２について）
　引用例１の「バルブエレメント１８は、Ｕ字形の生体親和性非磁性カプセル１８Ａに包まれた円筒状磁石１９よりなり、そのカプセルは、磁石１９に接着固定されるバルブシート１６に隣接した厚い基部１８Ｂと反対側に配置された閉止体２０よりなる。」（記載事項（イ））との記載からして、引用発明１には生体親和性を付与するという技術的課題を有するものであることは明らかである。してみれば、生体親和性を付与するために、引用発明１の中空円筒状本体（円筒状ハウジング１１）と内部磁石（バルブシート１６）を生体適合性材料で形成若しくは被覆することは、当業者が必要に応じて成し得る設計変更の範囲内にとどまる。
　
　以上によれば、本願発明は、引用発明１及び引用発明２に基いて、当業者が容易に想到し得る程度のものである。
　
　そして、本願発明による効果も、引用発明１及び引用発明２から、当業者が予測し得た程度のものであって、格別のものとはいえない。
　
　したがって、本願発明は、引用発明１及び引用発明２に基いて、当業者が容易に発明をすることができたものであるので、特許法第２９条第２項の規定により、特許を受けることができない。
　
　
　VI．　むすび
　以上のとおり、本願発明は、引用発明１及び引用発明２に基いて当業者が容易に発明をすることができたものであるから、特許法２９条２項の規定により特許を受けることができない。
　
　そして、本願の請求項１に係る発明が特許を受けることができないものである以上、本願の請求項２〜７に係る発明について検討するまでもなく、本願は拒絶すべきものである。
　
　よって、結論のとおり審決する。